(57)【要約】【課題】小型の撮像装置にも装着することができる小型の光学素子、光学素子製造方法、および撮像装置を提供することを目的とする。【解決手段】少なくとも所定の光軸方向については光を透過させる、磁性を有する光学素子と、筐体と、筐体上に設けられた、磁性を有し、光学素子が磁力によって着脱自在に装着されるマウント部と、筐体内に設けられた、マウント部に装着された光学素子を通ってきた被写体光に基づいて撮影画像を取得する撮像部とを備える。【選択図】        図２
2006251150.tif 000002
【特許請求の範囲】
【請求項１】
少なくとも所定の光軸方向については光を透過させる基体と、
前記基体の透明な面上に設けられた、光透過性を有する磁性膜とを備えたことを特徴とする光学素子。
【請求項２】
少なくとも所定の光軸方向については光を透過させる基体と、
前記基体中に散在した、光透過性を有する磁性粒とを備えたことを特徴とする光学素子。
【請求項３】
前記基体がレンズ形状を有するものであることを特徴とする請求項１または２記載の光学素子。
【請求項４】
前記基体が板形状を有するものであることを特徴とする請求項１または２記載の光学素子。
【請求項５】
光透過性の材料で所定形状の基体を形成する基体形成過程と、
光透過性の磁性材料を、前記基体形成過程で形成された基体上に複数層積層させて所定の厚さの磁性膜を形成する膜形成過程とを有することを特徴とする光学素子製造方法。
【請求項６】
光透過性を有する磁性材料を粒化する粒化過程と、
前記粒化過程で得られた磁性材料の粒を、光透過性を有する流動媒体中に混合する混合過程と、
前記混合過程で前記磁性材料が混合された流動媒体を固化して成型する成型過程とを有することを特徴とする光学素子製造方法。
【請求項７】
少なくとも所定の光軸方向については光を透過させる、磁性を有する光学素子と、
筐体と、
前記筐体上に設けられた、磁性を有し、前記光学素子が磁力によって着脱自在に装着されるマウント部と、
前記筐体内に設けられた、前記マウント部に装着された光学素子を通ってきた被写体光に基づいて撮影画像を取得する撮像部とを備えたことを特徴とする撮像装置。
【請求項８】
前記光学素子は、磁極を有する磁石であって、該磁石の磁力によって前記マウント部に装着されるものであることを特徴とする請求項７記載の撮像装置。
【請求項９】
前記マウント部は、磁極を有する磁石であって、該磁石の磁力によって前記光学素子を引き付けて装着するものであることを特徴とする請求項７記載の撮像装置。
【発明の詳細な説明】
【技術分野】
【０００１】
本発明は、光を透過する光学素子、光学素子製造方法、および被写体光を結像して画像データを取得する撮像装置に関する。
【背景技術】
【０００２】
従来、交換式の接写レンズ、魚眼レンズ、リフレックスレンズなどをカメラに装着して、様々な光学条件で被写体を撮影することが行われている。通常、交換レンズには、ねじ溝等が設けられたマウントコネクタが取り付けられており、このマウントコネクタがカメラに取り付けられたマウントのねじ突条等と嵌合することによって、交換レンズがカメラに着脱自在に装着される。このような交換レンズ式の撮像装置は、所望の光学条件に適した交換レンズを選択することによって様々な撮影画像を取得することができるが、マウントやマウントコネクタの分だけカメラや交換レンズが大型化してしまうため、画質に重点が置かれた一眼レフカメラなどに適用範囲が限定されることが多い。
【０００３】
しかし、近年では、通常のデジタルカメラや、携帯電話などに搭載される撮像装置で撮影される撮影画像も高画質化してきており、これらの小型の撮像装置にも交換レンズを装着したいという要望が挙がっている。この点に関し、特許文献１には、交換レンズにレンズを取り囲むドーナツ状の磁石を取り付け、カメラにはドーナツ状の磁性材料を取り付けて、磁石の磁力によってカメラに交換レンズを装着する技術について記載されている。この特許文献１に記載された技術によると、ねじ溝やねじ突条などが設けられたマウントやマウントコネクタを備えるよりも、撮像装置や交換レンズを小型化することができ、小型のデジタルカメラなどにも適用することができる。
【特許文献１】実用新案登録第３０９６６０３号公報
【発明の開示】
【発明が解決しようとする課題】
【０００４】
しかし、特許文献１に記載された技術では、交換レンズを通過する光を妨げないように、交換レンズを取り囲むように磁石を取り付ける必要があるため、携帯電話などに装着するには交換レンズが大きくなりすぎてしまうという問題がある。
【０００５】
尚、上述した問題は、レンズのみに限らず、平行平面板やプリズムなどといった光学素子を撮像装置に取り付けて光学条件を変える場合に一般的に生じる問題である。
【０００６】
本発明は、上記事情に鑑み、小型の撮像装置にも装着することができる小型の光学素子、光学素子製造方法、および撮像装置を提供することを目的とする。
【課題を解決するための手段】
【０００７】
上記目的を達成する本発明の第１の光学素子は、少なくとも所定の光軸方向については光を透過させる基体と、
前記基体の透明な面上に設けられた、光透過性を有する磁性膜とを備えたことを特徴とする。
【０００８】
近年、光透過性を有する磁性体を作成できることが報告されている（特開２００２−１４５６２２公報参照）。本発明は、このような光透過性の磁性体を利用するものである。
【０００９】
本発明の第１の光学素子によると、光透過性を有する磁性膜が磁石に引き付けられるため、光学素子を通過する光を妨げない位置に新たに磁性体を取り付ける必要がない。このため、光学素子を小型化することができ、携帯電話などといった小型の撮像装置にも装着することができる。
【００１０】
また、上記目的を達成する本発明の第２の光学素子は、少なくとも所定の光軸方向については光を透過させる基体と、
基体中に散在した、光透過性を有する磁性粒とを備えたことを特徴とする。
【００１１】
本発明の第２の光学素子においても、光透過性を有する磁性粒が磁石に引き付けられるため、光学素子の大型化を回避することができる。
【００１２】
また、本発明の第１および第２の光学素子において、上記基体がレンズ形状を有するものであることをが好ましい。
【００１３】
基体がレンズ形状を有することによって、光学素子を接写レンズなどとして使用することができる。
【００１４】
また、本発明の第１および第２の光学素子において、上記基体が板形状を有するものであってもよい。
【００１５】
基体が板形状を有することによって、板形状とした部材を特殊効果（軟焦点化や温度変換など）を持たせたフィルタとして利用できる。
【００１６】
また、上記目的を達成する本発明の第１の光学素子製造方法は、光透過性の材料で所定形状の基体を形成する基体形成過程と、
光透過性の磁性材料を、基体形成過程で形成された基体上に複数層積層させて所定の厚さの磁性膜を形成する膜形成過程とを有することを特徴とする。
【００１７】
本発明の第１の光学素子製造方法によると、基体の透明な面上に光透過性を有する磁性膜が設けられた第１の光学素子を製造することができる。
【００１８】
また、上記目的を達成する本発明の第２の光学素子製造方法は、光透過性を有する磁性材料を粒化する粒化過程と、
粒化過程で得られた磁性材料の粒を、光透過性を有する流動媒体中に混合する混合過程と、
混合過程で磁性材料が混合された流動媒体を固化して成型する成型過程とを有することを特徴とする。
【００１９】
本発明の第２の光学素子製造方法によると、基体中に光透過性を有する磁性粒が散在した第２の光学素子を製造することができる。
【００２０】
また、上記目的を達成する本発明の撮像装置は、少なくとも所定の光軸方向については光を透過させる、磁性を有する光学素子と、
筐体と、
筐体上に設けられた、磁性を有し、光学素子が磁力によって着脱自在に装着されるマウント部と、
筐体内に設けられた、マウント部に装着された光学素子を通ってきた被写体光に基づいて撮影画像を取得する撮像部とを備えたことを特徴とする。
【００２１】
本発明の撮像装置によると、光学素子自体が磁力によってマウント部に装着されるため、光学素子の大型化が回避され、携帯電話などといった小型の撮像装置にも交換式の光学素子を適用することができる。
【００２２】
また、本発明の撮像装置において、上記光学素子は、磁極を有する磁石であって、磁石の磁力によってマウント部に装着されるものであっても良く、また、上記マウント部は、磁極を有する磁石であって、磁石の磁力によって光学素子を引き付けて装着するものであっても良い。
【００２３】
光学素子、あるいはマウント部が磁石で構成されることによって、光学素子をマウント部に着脱自在に装着することができる。
【発明の効果】
【００２４】
本発明によれば、小型の撮像装置にも装着することができる小型の光学素子、光学素子製造方法、および撮像装置を提供することができる。
【発明を実施するための最良の形態】
【００２５】
以下図面を参照して本発明の実施の形態を説明する。
【００２６】
図１は、本発明の一実施形態が適用された携帯電話の外観斜視図である。この携帯電話１００には、被写体を撮影する撮影機能が搭載されており、背面に設けられた撮影レンズ１００上に交換レンズが着脱自在に装着される。
【００２７】
図１のパート（Ａ）には、携帯電話１００の前面図が示されている。携帯電話１００の前面には、メニュー画面や、撮影画像などが表示される液晶パネル１０１、内部にスピーカ（図２参照）が配備され、スピーカから発せられる音声を放つための送話口１０２、電話局を介して音声やメールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図２参照）が配備され、声をマイクロフォンに伝えるための受話口１０６、ユーザが入力した電話番号などを確定する確定ボタン１０７、電源ボタン１０８、および電話局を介さずに、近距離用の無線通信によって画像やアドレス情報などを送受信するための第２アンテナ１０９ａが備えられている。
【００２８】
図１のパート（Ｂ）には、携帯電話１００の背面図が示されている。携帯電話１００の背面には、撮影レンズ１１０が設けられており、携帯電話１００の筐体１００ａには、撮影レンズ１１０を取り囲むドーナツ状の磁石１１０ａが取り付けられている。また、携帯電話１００には、撮影レンズ１１０上に取り付けられる、ズームレンズや魚眼レンズなどといった各種の交換レンズ２００が用意されている。交換レンズ２００は、透明なレンズ部分２０１上に透明な磁性膜２０２が形成されたものである（磁性膜２０２を構成する物質、および交換レンズ２００の製造方法については後述する）。この磁性膜２０２が撮影レンズ１１０に取り付けられた磁石１１０ａに磁力で引き付けられることによって、交換レンズ２００が携帯電話１００に装着される。このレンズ部分２０１は、本発明にいう基体の一例にあたり、磁性膜２０２は、本発明にいう磁性膜の一例に相当する。また、筐体１００ａは、本発明にいう筐体の一例にあたり、磁石１１０ａは、本発明にいうマウント部の一例に相当する。
【００２９】
図２は、交換レンズ２００が装着された携帯電話１００の側面図である。
【００３０】
交換レンズ２００は、図１のパート（Ｂ）に示す磁性膜２０２が携帯電話１００の磁石１１０ａに引き付けられている。交換レンズ２００の光透過面上に透明な磁性膜２０２を設けることによって、交換レンズ２００を取り囲む部品などを取り付ける必要がなく、交換レンズ２００を小型化することができる。
【００３１】
ここで、携帯電話１００の内部構造について説明する。
【００３２】
図３は、携帯電話１００の内部ブロック図である。
【００３３】
携帯電話１００の内部には、撮影レンズ１１０、アイリス１１１、ＣＣＤ１１２、Ａ／Ｄ（Ａｎａｌｏｇ／Ｄｅｇｉｔａｌ）変換部１１３、マイクロフォン１２１、スピーカ１２２、インタフェース部１２０、第１送受信部１０３、入力コントローラ１３０、画像信号処理部１４０、ビデオエンコーダ１５０、画像表示装置１６０、第２送受信部１０９、メモリ１７０、ＣＰＵ１８０、メディアコントローラ１９０、各種スイッチ１８１が具備されており、さらに、記録メディア３００が接続されている。
【００３４】
各種スイッチ１８１には、図１に示す選択ボタン１０４やプッシュボタン１０５などが含まれる。これら各種スイッチ１８１が押下されると、そのスイッチが入ったことがＣＰＵ１８０に伝えられる。
【００３５】
ＣＰＵ１８０は、図３に示す携帯電話１００の各種要素に処理の指示を伝えて、各種要素を制御する。例えば、撮影を行う撮影モードが設定された状態で図１の選択ボタン１０４が押下されると、ＣＰＵ１８０から図３に示す各種要素に指示が与えられ、撮影が開始される。
【００３６】
本来、被写体を撮影する撮影装置には複数のレンズが配備されるが、この図３では、それら複数のレンズを撮影レンズ１１０として模式的に示している。また、アイリス１１１は、ＣＣＤ１１２で受光される被写体光の光量を調整する絞りである。
【００３７】
撮影が開始されると、ＣＣＤ１１２は、撮影レンズ１１０を通ってきた被写体光を受光して、被写体光に基づく被写体像をアナログ信号である被写体信号として読み取る。このＣＣＤ１１２は、本発明にいう撮像部の一例に相当する。ＣＣＤ１１２で生成された被写体信号は、Ａ／Ｄ変換部１１５でデジタルの撮影画像データに変換される。変換後の撮影画像データは、入力コントローラ１３０を介して画像信号処理部１４０に送られる。
【００３８】
画像信号処理部１４０では、画像データにＲＧＢレベルの調節、ガンマ調整等といった画像処理が施され、さらに、画像処理後の画像データに圧縮処理が施される。圧縮後の画像データは、一旦メモリ１７０に送られる。
【００３９】
メモリ１７０には、この携帯電話１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された画像データが記憶されるＶＲＡＭが含まれている。ＶＲＡＭは、複数領域に分割されており、画像データが複数領域に順番に記憶され、記憶された画像データはビデオエンコーダ１５０やメディアコントローラ１９０に順次に読み出される。
【００４０】
ビデオエンコーダ１５０は、ＣＰＵ１８０からの指示に従って、メモリ１７０から圧縮後の画像データを取得し、圧縮後の画像データを、液晶パネル１０１で表示できるデータ形式に変換する。変換後の画像データは画像表示装置１３０に送られ、画像表示装置１３０によって、画像データが表す画像が液晶パネル１０１に表示される。メディアコントローラ１９０は、メモリ１７０に記憶された圧縮後の画像データを記録メディア３００へ記録したり、記録メディア３００に記録された画像データを読み出すためのものである。
【００４１】
また、図１に示すプッシュボタン１０５を使って電話番号が入力され、確定ボタン１０７が押下されると、電話番号が設定されて相手装置との通信が開始される。このとき、携帯電話１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して電話局に伝わり、電話局で、指定された電話番号が割り当てられた相手装置との接続が確立される。
【００４２】
相手装置との接続が確立すると、ユーザが携帯電話１００に向けて発した声が、図１にも示すマイクロフォン１０６で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、図１にも示すスピーカ１０２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００４３】
また、この携帯電話１００には、電話局を介して他の携帯電話などといった相手装置と通信するための通信インタフェース（第１送受信部１０３、第１アンテナ１０３ａ）とは別に、電話局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００４４】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア３００に記録される。
【００４５】
携帯電話１００は、基本的には以上のように構成されている。
【００４６】
ここで、携帯電話１００は小型であるため、ズームレンズなどを内蔵することが困難であるが、小型の交換レンズ２００を装着することによって、接写撮影を実現することができる。このとき、図２に示すように、交換レンズ２００および撮影レンズ１１０を通過してきた被写体光がＣＣＤ１１２で受光され、被写体光に基づいた撮影画像データが生成される。このように、本実施系形態の携帯電話１００によると、所望の光学条件に適した交換レンズ２００を装着して、様々な撮影画像を取得することができる。
【００４７】
続いて、交換レンズ２００の製造方法について説明する。
【００４８】
図４は、交換レンズ２００の製造方法を説明する図である。
【００４９】
まず、透明物質（例えば、ガラスやプラスチックなど）をレンズ形状に成型して、図１のパート（Ｂ）にも示すレンズ部分２０１を形成する（図４のステップＳ１１）。このレンズ部分２０１を形成するステップＳ１１の過程は、本発明の第１の光学素子製造方法における基体形成過程の一例に相当する。
【００５０】
続いて、レンズ部分２０１上に形成される磁性膜２０２の元となるターゲットを作成する（図４のステップＳ１２）。本実施形態では、ルチル結晶構造の二酸化チタンにコバルトを１０ｍｏｌ％ドープして１０００度で焼結することにより、二酸化チタン・コバルトで構成されたターゲット４１１を作成した。この二酸化チタン・コバルトは、透明な磁性体である。
【００５１】
ターゲット４１１が作成されると、そのターゲット４１１を構成する磁性体（二酸化チタン・コバルト）を、レーザアブレーションによって、ステップＳ１１で形成されたレンズ部分２０１上に積層させる（図４のステップＳ１３）。このステップＳ１３では、まず、レンズ部分２０１上の、磁性膜を形成しない部分をマスクする。続いて、レンズ部分２０１を加熱するとともに、ターゲット４１１にレーザ光を照射して表面を瞬間的に気化させることで二酸化チタン・コバルトの微小粒子４１２を発生させ、その二酸化チタン・コバルトの微小粒子４１２をレンズ部分２０１上に積層させる。このレンズ部分２０１を加熱する加熱装置としては、Ｎｄ：ＹＡＧレーザを使用した基板加熱装置などを使用することができ、ターゲット４１１にレーザを照射する照射装置としては、２４８ｎｍのレーザ光を出射するＫｒＦエキシマレーザなどを使用することができる。レンズ部分２０１上に微小粒子４１２を積層させるステップＳ１３の過程は、本発明の第１の光学素子製造方法における膜形成過程の一例に相当する。
【００５２】
尚、二酸化チタン・コバルトのターゲットと、ルチル結晶構造の二酸化チタンのみからなるターゲットとの２つのターゲットを使用し、これらのターゲットを所定数比率のレーザ光を交互に照射して磁性膜を形成しても良い。
【００５３】
ここで、本発明においては、この交換レンズ２００を透明磁石として用いてもよい。この場合、ステップＳ１３において、上述した処理に加えて以下に示すような処理を実行して、交換レンズ２００の磁性膜２０２を磁化する。
【００５４】
磁性膜２０２が磁化されていない状態とは、磁性膜２０２を構成している各微小粒子４１２のＮ極とＳ極が揃っていない状態である。磁性膜２０２を磁化するには、微小粒子４１２を積層する際に、レンズ部分２０１の裏面に大きな磁極を印加しておく。例えば、レンズ部分２０１に磁石６００のＮ極を近づけておくと、微小粒子４１２のＳ極が磁石６００のＮ極に引き付けられ、微小粒子４１２が、Ｓ極側がレンズ部分２０１と接触するように磁極を揃えて積層される。その結果、Ｎ極側が表面に露出した磁性膜２０２が形成され、表面がＮ極の透明磁石である交換レンズ２００が作成される。
【００５５】
また、磁性体の磁化方法については、この他にも様々に知られており、それらの方法を適用することもできる。
【００５６】
レンズ部分２０１上に二酸化チタン・コバルトが積層されたら、マスクを除去する（図４のステップＳ１４）。このようにして、透明なレンズ部分２０１上に透明な二酸化チタン・コバルトの磁性膜２０２が形成された交換レンズ２００を生成する。このようにして得られた二酸化チタン・コバルト磁性膜２０２の膜厚は、２００ｎｍであった。
【００５７】
また、本実施形態においては、交換レンズ２００に対して光透過性を向上させるためや、図１のパート（Ｂ）に示すリング状の磁石１１０ａの正しい位置に装着されるように、レンズ部分２０１の周辺部分のみにリング状に磁性膜２０２を形成する例について説明したが、本発明においては、レンズ部分２０１上の面全体に磁性膜を形成してもよい。
【００５８】
以上で、本発明の第１実施形態の説明を終了し、本発明の第２実施形態について説明する。第１実施形態と第２実施形態とではほぼ同じ構成を有するため、以下では、第１実施形態との共通要素については同じ符号を付して説明を省略し、第１実施形態との相違点のみ説明する。
【００５９】
図５は、本発明の第２実施形態の携帯電話の背面図である。
【００６０】
本実施形態の携帯電話１００´は、図１のパート（Ｂ）に示す第１実施形態の携帯電話１００とほぼ同様の内部構造を有するが、携帯電話１００´には、磁石１１０ａに替えて磁性体１１０ｂが取り付けられている。また、この携帯電話１００´には、透明な磁石で構成された平行平面板２００´が取り付けられる。この平行平面板２００´は、透明な媒体中に透明な磁性粒２０３が混合され、その磁性粒２０３が磁化されて形成されたものである（平行平面板２００´を構成する物質、および製造方法については後述する）。磁性粒２０３は、本発明にいう磁性材料の粒の一例に相当する。携帯電話１００´では、筐体１００ａに取り付けられた磁性体１１０ｂと、透明磁石で構成された平行平面板２００´とが磁力で引き付けあい、平行平面板２００´が携帯電話１００´に装着される。このように、携帯電話にレンズではなく平行平面板を装着してもよく、また、携帯電話の筐体に磁性体を取り付けて、透明磁石で構成された平行平面板やレンズを装着してもよい。
【００６１】
続いて、平行平面板２００´の製造方法について説明する。
【００６２】
図４は、平行平面板２００´の製造方法を説明する図である。
【００６３】
まず、チタンテトラアルコキサイドにコバルトを加えた磁性材料５１１を真空下で加熱する（図６のステップＳ１）。その結果、磁性材料５１１が脱アルコール処理されて、二酸化チタンとコバルトがドープされた磁性粒２０３が形成される（図６のステップＳ２２）。さらに、磁性粒２０３に安定化剤（チタンカップリング剤：イソプロピルトリイソステアロイルチタネートなど）を添加して、磁性粒２０３を安定して分散させる。本実施形態においては、ルチル結晶構造の二酸化チタンにコバルトが１０ｍｏｌ％ドープされた磁性粒２０３を生成したところ、磁性粒２０３の平均粒径は１０ｎｍであった。このステップＳ２１およびステップＳ２２における磁性粒を生成する過程は、本発明の第２の光学素子製造方法における粒化過程の一例に相当する。
【００６４】
続いて、透明な流動媒体５１２に、磁性粒２０３を混合する（図６のステップＳ２３）。本実施形態では、流動媒体５１２としてポリメチルメタクリレートが用いられ、この流動媒体５１２中に二酸化チタン・コバルトの磁性粒２０３が１０ｍｏｌ％程度混合される。このステップＳ２２における流動媒体に磁性粒を混合する過程は、本発明の第２の光学素子製造方法における混合過程の一例に相当する。
【００６５】
さらに、磁性粒２０３が混合された流動媒体５１２を平行平面板形状に射出成型して固化する（図６のステップＳ２４）。その結果、磁性粒２０３が混合された平行平面板２００´が生成される。このステップＳ２４の流動媒体を固化する過程は、本発明の第２の光学素子製造方法における成型過程の一例に相当する。
【００６６】
尚、ステップＳ２４の固化過程で、上述したステップＳ１３と同様にして流動媒体５１２に磁石６００の磁極を印加すると、磁性粒２０３の磁極が揃った状態で固化されて、平行平面板２００´が磁化される（図６のステップＳ２５）。
【００６７】
以上のようにして、透明磁石である平行平面板２００´が作成される。
【００６８】
ここで、上記では、本発明にいう撮像装置の一例として携帯電話が示されているが、本発明にいう撮像装置はデジタルカメラなどであってもよい。
【００６９】
また、上記では、本発明にいう撮像部の一例としてＣＣＤが示されているが、本発明にいう撮像部はＣＭＯＳセンサなどであってもよい。
【００７０】
また、上記では、本発明にいうマウント部の一例として不透明な磁石や磁性体が示されているが、本発明にいうマウント部も透明な磁石や磁性体で構成されたものであってもよい。上記では、大きな磁力を得るために、通常の不透明な磁石などを使用した。
【図面の簡単な説明】
【００７１】
【図１】本発明の一実施形態が適用された携帯電話の外観斜視図である。
【図２】交換レンズ２００が装着された携帯電話１００の側面図である。
【図３】携帯電話１００の内部ブロック図である。
【図４】交換レンズ２００の製造方法を説明する図である。
【図５】本発明の第２実施形態の携帯電話の背面図である。
【図６】平行平面板２００´の製造方法を説明する図である。
【符号の説明】
【００７２】
１００    携帯電話
１００ａ    筐体
１０１    液晶パネル
１０２    送話口
１０３    第１送受信部
１０３ａ    第１アンテナ
１０４    選択ボタン
１０５    プッシュボタン
１０６    受話口
１０７    確定ボタン
１０８    電源ボタン
１０９    第２送受信部
１０９ａ    第２アンテナ
１１０    撮影レンズ
１１０ａ    磁石
１１１    アイリス
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
１９０    メディアコントローラ
２００    交換レンズ
２０１    レンズ部分
２０２    磁性膜
３００    記録メディア
【図１】
2006251150.tif 000003
【図２】
2006251150.tif 000004
【図３】
2006251150.tif 000005
【図４】
2006251150.tif 000006
【図５】
2006251150.tif 000007
【図６】
2006251150.tif 000008